(57)【要約】      （修正有）【課題】成形用の型に摩耗が生じ難く、成形品にクラックが発生し難いワイパーブレード用カバー部材を提供する。【解決手段】ワイパーブレードに備えられるフード１０において、払拭部の頭部が装着される凹部１２に、端部１３と両側側面１４を備え、端部１３と両側側面１４の間の屈曲部分を、曲面形状からなるＲ部１５とした。フード１０の両側の上側側面部１６と下側側面部１７は、それぞれ成型時における上側金型４１と下側金型４２の開口部に向けて裾広がりとなるように傾斜している。【選択図】図４
2019064364.tif 000002
【特許請求の範囲】
【請求項１】
ワイパーブレードに備えられるブレード支持部材を被覆するワイパーブレード用カバー部材において、
前記ワイパーブレードの払拭部材の少なくとも一部を収容する凹部を備え、
前記凹部における屈曲部分が曲面形状で形成されているワイパーブレード用カバー部材。
【請求項２】
前記凹部は、端面と前記端面の両側の側面を有し、前記端面と前記側面の間の屈曲部分が、曲面形状で形成されている請求項１に記載のワイパーブレード用カバー部材。
【請求項３】
前記凹部の端面と、前記凹部への収容時に前記凹部の端面に接触する前記払拭部材の部分は、いずれも平坦面である請求項２に記載のワイパーブレード用カバー部材。
【請求項４】
前記カバー部材の両側の側面部は、成型時における金型の開口部に向けて互いの幅が広がるように傾斜している請求項１から請求項３のいずれか１項に記載のワイパーブレード用カバー部材。
【発明の詳細な説明】
【技術分野】
【０００１】
本発明は、寒冷地等で防水のために使用されるワイパーブレードに用いられるワイパーブレード用カバー部材に関する。
【背景技術】
【０００２】
寒冷地（降雪地）等において用いられるワイパーブレードには、ワイパーブレード本体（払拭部材を支持する支持部）を覆うカバー部材（例えばゴム製のフード）を備えたものがある。このようなフード付きワイパーブレード（いわゆるウインターブレード）においては、フードがワイパーブレード本体の内側への雪や水の浸入を防ぐことにより、雪や凍結した水等がワイパーブレードの機能（例えば、支持部を構成する複数のレバーの回動動作）を阻害してしまうことが防止されるようになっている。
【先行技術文献】
【特許文献】
【０００３】
【特許文献１】特開２０１４−４８４６号公報
【特許文献２】特開２０１２−２２４１２６号公報
【発明の概要】
【発明が解決しようとする課題】
【０００４】
このようなカバー部材付きのワイパーブレードにおいては、カバー部材の内側に収容されたワイパーブレード本体によって、カバー部材の外側に配置された払拭部材（ブレードラバー）を支持する必要がある。このため、カバー部材には、払拭部材の一部（頭部）を収容する凹部が設けられるようになっている。
【０００５】
このようなカバー部材の凹部は、払拭部材の頭部の形状に合わせて、コの字型断面を有するように成形されていた。しかしながら、このようなコの字型断面の凹部を成形する場合、コの字型断面の最奥部の端面両側の角部において成形用の型に摩耗が発生し易く、また、形品に形成された角部においては、クラックが発生し易いという問題があった。
【０００６】
本発明は、このような問題点に鑑みてなされたもので、成形用の型に摩耗が生じ難く、成形品にクラックが発生し難いワイパーブレード用カバー部材を提供することを目的とする。
【課題を解決するための手段】
【０００７】
本発明は、ワイパーブレードに備えられるブレード支持部材を被覆するワイパーブレード用カバー部材において、前記ワイパーブレードの払拭部材の少なくとも一部を収容する凹部を備え、前記凹部における屈曲部分が曲面形状で形成されている。
【０００８】
前記凹部は、端面と前記端面の両側の側面を有し、前記端面と前記側面の間の屈曲部分が、曲面形状で形成されていてもよい。
【０００９】
前記凹部の端面と、前記凹部への収容時に前記凹部の端面に接触する前記払拭部材の部分は、いずれも平坦面であってもよい。
【００１０】
前記カバー部材の両側の側面部は、成型時における金型の開口部に向けて互いの幅が広がるように傾斜していてもよい。
【発明の効果】
【００１１】
本発明によれば、カバー部材（例えばフード１０）において、払拭部材（例えば払拭部２１）の少なくとも一部（例えば頭部２１Ａ）を収容する凹部（例えば凹部１２）において、屈曲部分は曲面形状で形成される。例えば、凹部の端面（例えば端面１３）と両側の側面（例えば側面１４）の間の屈曲部分（例えばＲ部１５）は、曲面形状とされる。したがって、凹部内には角部が存在しないようにできるので、カバー部材の成形時に成形用の型に発生する摩耗を低減することができる。また、成形品には角部が形成されないので、角部におけるクラックの発生を防止することができる。
【００１２】
また、凹部の端面（例えば端面１３）と、凹部の端面に接触する払拭部材の部分（例えば頭部２１Ａの上端面）を、いずれも平坦面とすれば、払拭部材は、端面に適切に接触した状態で凹部内に適切に装着されるので、組み付け性が向上する。
【００１３】
カバー部材の両側の側面部（例えば上側側面部１６、下側側面部１７）を、成型時における金型（例えば上側金型４１、下側金型４２）の開口部に向けて互いの幅が広がるように傾斜させれば、成形品の金型からの取り外しをスムーズに行うことができ、成形による製造工程を効率化することができる。
【図面の簡単な説明】
【００１４】
【図１】本発明の実施形態のカバー部材を備えたワイパーブレード１の全体構成を示す側面図である。
【図２】図1のＡ−Ａ断面図である。
【図３】本発明の実施形態のカバー部材を示す断面図である。
【図４】本発明の実施形態のカバー部材の成形の様子を示す断面図である。
【発明を実施するための形態】
【００１５】
以下、添付図面に基づいて本発明の実施形態について説明する。
図１及び図２には、本実施形態のカバー部材であるフード１０を備えたワイパーブレード１を示す。なお、図１においては、フード１０を断面とすることにより、フード１０内に収容される構成が図示されている。
【００１６】
図示されるように、ワイパーブレード１は、被払拭面（例えば車両のガラス面）を払拭する払拭部材であるブレード部２と、ブレード部２を支持する支持部３と、支持部３の外側を被覆するカバー部材であるフード１０と、支持部３の両側端部に設けられてフード１０の端部を閉止するエンドキャップ４を備えている。
【００１７】
ブレード部２は、ワイパーブレード１の下部に配置された払拭部２１と、払拭部２１に沿って配置されたバーティブラ２２とを備えている。払拭部２１は、払拭部材の本体を構成する長尺部材であり、例えばゴムから形成され、上側（支持部３側）の頭部２１Ａと、下側（被払拭面側）の脚部２１Ｂと、頭部２１Ａと脚部２１Ｂの間で幅の狭くなった首部２１Ｃとを備えている。ワイパーブレード１の使用時には、脚部２１Ｂの下端が被払拭面上に接触して配置され、被払拭面に沿って動かされることにより、被払拭面が払拭されるようになっている。なお、頭部２１Ａの上端面は、平坦面となっている。
【００１８】
バーティブラ２２は、払拭部２１と略同じ長さを有する長尺部材であって、例えば金属から形成されている。バーティブラ２２によって、支持部３から払拭部２１に及ぼされる力が払拭部２１の長手方向全体にわたって均等に分散される。バーディブラ２２は、払拭部２１の頭部２１Ａがちょうど収容されるような略コの字型断面形状を有しており、このコの字型断面の下端から内側に延び出す両側の保持片２２Ａが頭部２１Ａを下側から抱え込むように配置されることにより、頭部２１Ａに対して装着されるようになっている。
【００１９】
支持部３は、長手方向の中央に配置されたプライマリレバー３１と、プライマリレバー３１の両側端部に回動可能に連結されたセカンダリレバー３２と、セカンダリレバー３２の一端（ワイパーブレード１の長手方向の外側の端部）に回動可能に連結されたヨークレバー３３から構成されている。セカンダリレバー３２の他端（ワイパーブレード1の長手方向の内側の端部）とヨークレバー３３の両側端部は、それぞれブレード部２を把持するための爪部３４、３５となっている。一方、プライマリレバー３１の上部には、クリップホルダ３６が設けられ、このクリップホルダに装着された結合部材（図示せず）を介して、ワイパーアーム（図示せず）への連結がなされるようになっている。
【００２０】
図３にワイパーブレード１に組み込まれる前の状態を断面で示すように、フード１０は、可撓性を有する筒状部材であり、例えばゴムから形成されている。支持部３は、フード１０の中空部１１（筒形状の内側）に収容されることにより、全体がフード１０により覆われている。一方、フード１０の下端部の外側面には、払拭部２１の頭部２１Ａが収容（装着）される凹部１２が形成されている。
【００２１】
図２によく示されるように、ブレード部２の払拭部２１は、頭部２１Ａが凹部１２内に収容された状態でフード１０の外側に、またバーティブラ２２は、フード１０の中空部１１内に、それぞれ配置されている。これにより、払拭部２１の頭部２１Ａとバーディブラ２２の間には、フード１０の一部が挟み込まれた状態となっている。
【００２２】
図３によく示されるように、フード１０の凹部１２は、最奥部の平坦な端面１３と、端面１３の両側に連なる両側の側面１４と、端面１３と両側の側面１４の間の屈曲部分である両側のＲ部１５を有している。Ｒ部１５は、なだらかな曲面形状（Ｒ形状）で形成されている。これにより、凹部１２内には、いっさい角部が存在しないようになっている。したがって、角部において生じやすいクラックの発生を適切に防止することができる。また、端面１３は、払拭部２１の頭部２１Ａの上端面と同様に、平坦面となっているので、頭部２１Ａは、上端面が端面１３に適切に接触した状態で、凹部１４内に適切に収容されるようになっている。
【００２３】
凹部１２の両側側面１４は、略平坦な形状となっており、凹部１２の下端部１８Ａ側に、内側に向いた張り出しが存在しない形状（アンダーレス形状）になっている。したがって、フード１０のブレード部２への組み付け作業の際には、張り出し部分が存在しない凹部１２に対して、払拭部２１の頭部２１Ａが凹部１２内にスムーズに装着されるようになっている。なお、フード１０がブレード部２に組み付けられた後には、凹部１２の下端部１８Ａは、図２に示すように、払拭部２１の首部２１Ｃ側に弾性変形した状態となる。
【００２４】
フード１０の両側の側部は、略平坦な上側側面部１６と、上側側面部１６の下方に連なる略平坦な下端側面部１７とから構成されている。両側の上側側面部１６は、下側に向かうにしたがって互いの幅が広がるように（裾広がりとなるように）傾斜している。一方、両側の下側側面部１７は、上側側面部１６と反対向きに傾斜しており、下側に向かうにしたがって互いの幅が狭まるようになっている。
【００２５】
なお、フード１０は、凹部１２のＲ部１５以外の屈曲部分も、角型ではなく、Ｒ形状（曲面形状）に形成されている。すなわち、凹部１２の下端部１８Ａ、上側側面部１６と下側側面部の間の屈曲部１８Ｂ、上側側面部１６の上端部１８Ｃも、いずれもＲ形状となっている。これにより、下端部１８Ａ、屈曲部１８Ｂ、上端部１８Ｃにおいても、成形時に余肉が生じ難くなっている。
【００２６】
図４には、フード１０の成形による製造の様子を断面図で示す。図示されるように、フード１０は、上側金型４１、下側金型４２、中子４３を使用して、例えばコンプレッション成形、トランスファ成形、ディップ成形等の任意の成形方法により形成される。このような成形において、フード１０の凹部１２内の屈曲部分は曲面形状のＲ部１５で形成されており、フード１０の内周面には角部が存在していないので、角部において生じやすいクラックの発生を適切に防止できる。上側金型４１と下側金型４２は、内周面に角部が存在しないため、摩耗が生じ難い。
【００２７】
また、上側金型４１により成形される上側側面部１６と、下側金型４２により成形される下側側面部１７は、それぞれ上側金型４１と下側金型４２の開口部に向けて幅が広くなっていく形状を有しているので、成形品の金型からの引き抜きをスムーズに行うことができる。よって、フード１０の製造効率が向上する。
【００２８】
なお、上記実施形態では、凹部１２において曲面形状とされる屈曲部分は、端面１３と両側側面１４の間のＲ部１５だけであったが、本発明はこのような形態に限られるものではない。凹部内に収容される払拭部材の頭部形状に応じて生じる屈曲部分は、いずれも曲面形状とすることができる。
【符号の説明】
【００２９】
１  ワイパーブレード
２  ブレード部
３  支持部
４  エンドキャップ
１０  フード
１１  中空部
１２  凹部
１３  端面
１４  側面
１５  Ｒ部
１６  上側側面部
１７  下側側面部
２１  払拭部
２１Ａ  頭部
２１Ｂ  脚部
２１Ｃ  首部
２２  バーティブラ
２２Ａ  保持片
３１  プライマリレバー
３２  セカンダリレバー
３３  ヨークレバー
３４  爪部
３５  爪部
３６  クリップホルダ
【図１】
2019064364.tif 000003
【図２】
2019064364.tif 000004
【図３】
2019064364.tif 000005
【図４】
2019064364.tif 000006
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
ワイパーブレードに備えられるブレード支持部材を被覆するワイパーブレード用カバー部材において、
下端部に、前記ワイパーブレードの払拭部材の少なくとも一部を収容する凹部を備え、
前記凹部における屈曲部分が曲面形状で形成されており、
両側の側部に、上側側面部と、前記上側側面部の下方に連なる下側側面部を備え、
両側の前記上側側面部は、下側に向かうにしたがって互いの幅が広がるように傾斜しており、
両側の前記下側側面部は、下側に向かうにしたがって互いの幅が狭まるように傾斜しているワイパーブレード用カバー部材。
【請求項２】
前記凹部は、端面と前記端面の両側の側面を有し、前記端面と前記側面の間の屈曲部分が、曲面形状で形成されている請求項１に記載のワイパーブレード用カバー部材。
【請求項３】
前記凹部の端面と、前記凹部への収容時に前記凹部の端面に接触する前記払拭部材の部分は、いずれも平坦面である請求項２に記載のワイパーブレード用カバー部材。
【請求項４】
前記両側の上側側面部と、前記両側の下側側面部は、いずれも、成型時における金型の開口部に向けて互いの幅が広がるように傾斜している請求項１から請求項３のいずれか１項に記載のワイパーブレード用カバー部材。
【手続補正２】
【補正対象書類名】明細書
【補正対象項目名】０００７
【補正方法】変更
【補正の内容】
【０００７】
本発明は、ワイパーブレードに備えられるブレード支持部材を被覆するワイパーブレード用カバー部材において、下端部に、前記ワイパーブレードの払拭部材の少なくとも一部を収容する凹部を備え、前記凹部における屈曲部分が曲面形状で形成されており、両側の側部に、上側側面部と、前記上側側面部の下方に連なる下側側面部を備え、両側の前記上側側面部は、下側に向かうにしたがって互いの幅が広がるように傾斜しており、両側の前記下側側面部は、下側に向かうにしたがって互いの幅が狭まるように傾斜している。
【手続補正３】
【補正対象書類名】明細書
【補正対象項目名】００１０
【補正方法】変更
【補正の内容】
【００１０】
前記両側の上側側面部と、前記両側の下側側面部は、いずれも、成型時における金型の開口部に向けて互いの幅が広がるように傾斜していてもよい。